(57)【要約】【課題】  本発明は、テレビ用コネクタを別途設けることなく、テレビ出力を可能とする携帯端末を提供することを目的とする。【解決手段】  マイクロプロセッサ２３は、外部コネクタ識別手段２３１と、出力制御手段２３２とを具備している。外部コネクタ識別手段２３１は、外部コネクタ検出回路２４の状態によって携帯端末の外部出力用コネクタ３８に外部出力ケーブルユニット５が挿入されたか及び挿入された外部出力ケーブルユニット５の種類を識別し、それを出力制御手段２３２に通知する手段である。出力制御手段２３２は、外部コネクタ識別手段２３１との間でデータ送受信を行って、外部出力ケーブルユニット５をの種類に応じた処理を行う手段である。【選択図】  図２
2005130176.tif 000002
【特許請求の範囲】
【請求項１】
受話信号を出力する前記外部機器の一種類であるイヤホン機器を接続するためのイヤホン端子群と
画像信号を出力するための画像端子と
を備えている携帯端末において、
前記イヤホン端子群及び前記画像端子に画像信号及び音声信号を出力するための前記外部機器の一種類であるケーブル機器が接続された場合、このケーブル機器に応じた出力制御を行うことを特徴とする携帯端末。
【請求項２】
前記出力制御は、前記端子群に挿入された前記外部機器の種類を識別することができる識別手段と、この識別手段によって識別した前記外部機器に応じた出力制御を行う出力制御手段によって行われることを特徴とする請求項１に記載の携帯端末。
【請求項３】
前記識別手段は、携帯端末内に配設された所定の携帯端末検出線と前記外部機器内に配設された所定の外部機器検出線が接続されることによって生じる電圧の変化によって行うことを特徴とする請求項２に記載の携帯端末。
【請求項４】
受話信号を入力する前記外部機器の一種類であるイヤホン機器を接続するためのイヤホン端子群と
画像信号を入力するための画像端子と
を備えている携帯端末において、
前記イヤホン端子群及び前記画像端子に画像信号及び音声信号を入力するための前記外部機器の一種類であるケーブル機器が接続された場合、このケーブル機器に応じた入力制御を行うことを特徴とする携帯端末。
【請求項５】
前記入力制御は、前記端子群に挿入された前記外部機器の種類を識別することができる識別手段と、この識別手段によって識別した前記外部機器に応じた入力制御を行う入力制御手段によって行われることを特徴とする請求項３に記載の携帯端末。
【請求項６】
前記識別手段は、携帯端末内に配設された所定の携帯端末検出線と前記外部機器内に配設された所定の外部機器検出線が接続されることによって生じる電圧の変化によって行うことを特徴とする請求項５に記載の携帯端末。
【発明の詳細な説明】
【技術分野】
【０００１】
本発明は、携帯電話機や携帯情報端末（ＰＤＡ：Personal Digital Assistant
s）、ＰＨＳ（Personal Handyphone System）端末等の携帯端末に関する。
【背景技術】
【０００２】
近年、携帯電話機やＰＨＳ端末などに代表される携帯端末が急速に普及しており、その一つとしてカメラを備えた携帯端末が開発されている。この種の携帯端末は、例えば携帯電話機の筐体上部或いは裏面等にＣＭＯＳ（Complementary Metal Oxide Semiconductor
）等の個体撮像素子を使用したカメラを内蔵し、このカメラにより撮影した静止画像又は動画像及び音声（以下、画像情報と称する）を携帯電話機の表示部に表示したり、メールに添付して送信したりできる。また、この画像をテレビジョン画面に映し出したり（以下、テレビ出力と称する）することが実施されようとしている。ここで携帯端末からテレビ出力を実現するためには、携帯端末にテレビ出力用ケーブルを接続する必要があり、そのためのテレビ出力用接続コネクタ（以下、テレビ用コネクタと称する）を携帯端末に別途設ける必要がある。例えば、バッテリを充電するための充電用コネクタが既設されている携帯端末において、イヤホンを使用することができるようにする場合は、イヤホン側の端子を差し込むためのイヤホン用コネクタを携帯端末に別途設ける必要がある（例えば特許文献１参照）。
【特許文献１】特開２００３−１９８７００号公報（図６）
【発明の開示】
【発明が解決しようとする課題】
【０００３】
しかし、携帯端末にテレビ用コネクタを別途設けることは、携帯端末の大型化及び製造コストの増大を生じさせてしまう。一方、携帯端末は小型軽量化、低コスト化の傾向にあるため、テレビ用コネクタを別途設けることは難しい。
【０００４】
そこで、本発明は、テレビ用コネクタを別途設けることなく、テレビ出力を可能とする携帯端末を提供することを目的とする。
【課題を解決するための手段】
【０００５】
上記目的を達成するために、本発明による携帯端末は、画像信号及び／又は音声信号を出力する外部機器を接続するための端子群を備えている携帯端末において、所定かつ複数の外部機器のうち一の外部機器が前記端子群に接続された場合、この一の外部機器に応じた出力制御を行うことを特徴とする。
【発明の効果】
【０００６】
本発明によれば、テレビ用コネクタを別途設けることなく、テレビ出力を可能とする携帯端末を提供することができる。
【発明を実施するための最良の形態】
【０００７】
以下に、本発明の携帯端末の実施の形態を図１乃至から図６を参照して説明する。
【０００８】
図１は、この発明の一実施形態におけるカメラを備えた携帯電話端末の構成を示す外観図であり、（ａ）には、携帯電話端末の斜視外観を示し、（ｂ）には、携帯電話端末の背面部の外観を示す。図２は、本発明を適用した携帯電話端末の内部構成を示すブロック図である。図３は、外部コネクタ検出回路及び外部出力用コネクタの構成を示すブロック図である。図４は、イヤホン出力ケーブルユニットの構成を示すブロック図である。図５は、テレビ出力ケーブルユニットの構成図を示すブロック図である。図６は、本発明の実施の形態の動作を示すフローチャートである。
【０００９】
本発明を適用した携帯電話端末は図１（ａ）、図１（ｂ）に示すように、アンテナ１１、カメラ３１、表示部３３、キー入力部３６及び外部出力用コネクタ３８とから外観構成されており、内部構成は、図２に示すように無線部１と、制御部２と、入出力部３と、電源部４からなる。
【００１０】
無線部１は、アンテナ１１、デュプレクサ１２、送信部１３、受信部１４、シンセサイザ１５から構成され、所定の通信プロトコルに従い、この無線部１を介して無線信号の送受信を行う。
【００１１】
制御部２は、ＲＯＭ２１、ＲＡＭ２２、マイクロプロセッサ２３及び外部コネクタ検出回路２４から構成されている。ＲＯＭ２１は、端末の動作を制御する各種プログラムが記憶されている。ＲＡＭ２２は、各種データが記憶される記憶部であり、さらには、各種ワークメモリとしても利用される。マイクロプロセッサ２３は、携帯端末全体の制御を司る制御部である。
【００１２】
入出力部３は、カメラ３１、表示駆動部３２、表示部３３、マイク３４、レシーバ３５、キー入力部３６、スピーカ３７及び外部出力用コネクタ３８から構成されている。
【００１３】
利用者がキー入力部３６から入力した各種データ及び発信者の電話番号等を表示部３３に表示したり、マイク３４から入力した音声、キー入力した電子メール情報等を無線部１から送信したり、無線部１を介して受信した相手の音声又は電子メール情報をレシーバ３５又は表示部３３から出力したり、通話着信やメール着信を報知するための着信報知をスピーカ３７で行ったりする。
【００１４】
また、カメラ３１でファインディング中の画像を表示部３３に映し出し、キー入力部３６の所定のキーを押し下げることによって撮影が行われる。撮影された画像情報はＲＡＭ２２に保存され、再度表示部３３に表示させたり、メール等に添付して無線部１を介して送信することができる。
【００１５】
電源部４は、電源４１、充電回路４２、電池４３から構成されており、携帯電話端末への電源供給を行っている。
【００１６】
次に、本実施形態の携帯電話端末におけるマイクロプロセッサ２３の構成について説明する。
【００１７】
マイクロプロセッサ２３は、外部コネクタ識別手段２３１と、出力制御手段２３２とを具備している。これらは、ソフトウェア又はハードウェアのいずれで構成されていても良い。
【００１８】
外部コネクタ識別手段２３１は、外部コネクタ検出回路２４の状態によって携帯電話端末の外部出力用コネクタ３８に外部出力ケーブルユニット５が挿入されたか及び挿入された外部出力ケーブルユニット５の種類を識別し、それを出力制御手段２３２に通知する手段である。
【００１９】
出力制御手段２３２は、外部コネクタ識別手段２３１との間でデータ送受信を行って、外部出力ケーブルユニット５の種類に応じた処理を行う手段である。
【００２０】
次に、本実施形態の携帯電話端末における外部コネクタ検出回路２４及び外部出力用コネクタ３８の構成について説明する。
【００２１】
図３に示すとおり、外部出力用コネクタ３８は、映像出力端子３８１、音声出力端子３８２、音声出力端子３８３、検出用端子３８４、検出用端子３８５及びＧＮＤ端子３８６から構成される。映像出力端子３８１、音声出力端子３８２及び音声出力端子３８３は、マイクロプロセッサ２３と接続されている。外部コネクタ検出回路２４は、検出用端子３８４及び検出用端子３８５とマイクロプロセッサ２３とを接続する検出用ライン２４１及び検出用ライン２４２、検出用ライン２４１に配設された検出用抵抗２４３及び検出用ライン２４２に配設された検出用抵抗２４４から構成される。検出用抵抗２４３及び検出用抵抗２４４には、電源部４から電圧がかけられている。
【００２２】
次に、本実施形態の携帯電話端末において、外部出力用コネクタ３８に接続する外部出力ケーブルユニット５の識別方法について説明する。尚、本実施形態においては、外部出力ケーブルユニット５をイヤホン出力ケーブルユニット６とテレビ出力ケーブルユニット７を例に挙げて説明する。
【００２３】
先ず、イヤホン出力ケーブルユニット６とテレビ出力ケーブルユニット７の構成から説明する。
【００２４】
イヤホン出力ケーブルユニット６は、図４に示すとおり、携帯端末接続部６１、この携帯端末接続部６１から伸びる音声出力ケーブル６２及び音声出力ケーブル６３から構成される。音声出力ケーブル側６２の一端には携帯端末側音声端子６２１が、もう一端にはイヤホン６２２が設けられている。音声出力ケーブル６３の一端には携帯端末側音声端子６３１が、もう一端にはイヤホン６３２が設けられている。イヤホン６２２及びイヤホン６３２は、主に人間の耳に装着する（図示せず）もので、携帯電話端末から出力された音声信号を音声に換え、外部に発するものである。携帯端末側音声端子６２１及び携帯端末側音声端子６３１は、携帯端末接続部６１に設けられており、携帯端末接続部６１には、さらに検出用電源端子６４１、ＧＮＤ端子６５１及び検出用電源端子６４１とＧＮＤ端子６５１の間に設けられた検出用抵抗６６１が設けられている。
【００２５】
テレビ出力ケーブルユニット７は、図５に示すとおり、携帯端末接続部７０、この携帯端末接続部７０から伸びる映像出力ケーブル７１、音声出力ケーブル７２及び音声出力ケーブル７３から構成される。映像出力ケーブル７１の一端には携帯端末側映像端子７１１が、もう一端にはテレビ側映像端子７１２が設けられている。音声出力ケーブル７２の一端には携帯端末側音声端子７２１が、もう一端にはテレビ側音声端子７２２が設けられている。音声出力ケーブル７３の一端には携帯端末側音声端子７３１が、もう一端にはテレビ側音声端子７３２が設けられている。携帯端末側映像端子７１１、携帯端末側音声端子７２１及び携帯端末側音声端子７３１は、携帯端末接続部７１に配設されており、さらに携帯端末接続部７０には、検出用電源端子７４１、ＧＮＤ端子７５１及び検出用電源端子７４１とＧＮＤ端子７５１の間に設けられた検出用抵抗７６１が配設されている。
【００２６】
次に、イヤホン出力ケーブルユニット６を使用する場合の動作を、図６のフローチャートを参照しながら説明する。
【００２７】
マイクロプロセッサ２３の外部コネクタ識別手段２３１は、検出用ライン２４１及び検出用ライン２４２の電圧を常時監視している。外部出力ケーブルユニット５が接続されていない状態では、検出用ライン２４１及び検出用ライン２４２の電圧はともに電源電圧と同じ電圧（以下、ハイレベルと称する）であるため、外部コネクタ識別手段２３１は外部出力ケーブルユニット５が外部出力用コネクタ３８に挿入されていないことを検知する（ステップ６ａからステップ６ｃ）。
【００２８】
ここで、携帯端末接続部６１を携帯電話端末の外部出力用コネクタ３８に挿入すると、携帯端末側音声端子６２１は音声出力端子３８２と、携帯端末側音声端子６３１は音声出力端子３８３と、検出用電源端子６４１は検出用端子３８５と、ＧＮＤ端子６５１はＧＮＤ端子３８６と接触することとなる。
【００２９】
このとき、検出用ライン２４１にかかっていた電圧は、ハイレベルのままであるが（ステップ６ａのＹｅｓ）、検出用ライン２４２にかかっていた電圧は、検出用抵抗２４４及び検出用抵抗６６１によって分圧され、電源電圧より低い電圧（以下、ローレベルと称する）となる（ステップ６ｂのＮｏ）。
【００３０】
これによって、外部コネクタ識別手段２３１は、外部出力用コネクタ３８にイヤホン出力ケーブルユニット６が挿入されたことを識別し、それを出力制御手段２３２に通知する。
【００３１】
出力制御手段２３２は、音声信号を音声出力端子３８２及び音声出力端子３８３から出力するよう制御を開始する（ステップ６ｅ）。これによって、イヤホン出力ケーブルユニット６は携帯電話端末から音声信号の出力を受け、イヤホン６２２及びイヤホン６３２を介して、音声を外部に発することができる。
【００３２】
次に、テレビ入出力ケーブルユニット７を使用して、テレビ画面に画像を表示し、テレビスピーカから音声を発する場合の動作を説明する。
【００３３】
携帯端末接続部７０を携帯電話端末の外部出力用コネクタ３８に挿入すると、携帯端末側映像端子７１１は映像出力端子３８１と、携帯端末側音声端子７２１は音声出力端子３８２と、携帯端末側音声端子７３１は音声出力端子３８３と、検出用電源端子７４１検出用端子３８４と、ＧＮＤ端子７５１はＧＮＤ端子３８６と接触することとなる。
【００３４】
このとき、検出用ライン２４１にかかっていた電圧は、検出用抵抗２４３及び検出用抵抗７６１によって分圧され、ローレベルとなる（ステップ６ａのＮｏ）。一方、検出用ライン２４２にかかっていた電圧は、ハイレベルのままである（ステップ６ｆのＹｅｓ）。
【００３５】
これによって、外部コネクタ識別手段２３１は、外部出力用コネクタ３８にテレビ出力ケーブルユニット７が挿入されたことを識別し、それを出力制御手段２３２に通知する。
【００３６】
出力制御手段２３２は、携帯端末側映像端子７１１から画像信号を、携帯端末側音声端子７２１及び携帯端末側音声端子７３１から音声信号を出力するよう制御を開始する（ステップ６ｈ）。これによって、テレビ出力ケーブルユニット７は携帯電話端末から画像信号及び音声信号の出力を受け、テレビ（図示せず）の入力端子群に接続されたテレビ側映像端子７１２、携帯端末側音声端子７２１及び携帯端末側音声端子７３１を介して、テレビ画面に画像情報を映し出し、テレビスピーカから音声を発することができる。
【００３７】
ここで、外部出力ケーブルユニット５を抜去した場合は、検出用ライン２４１及び検出用ライン２４２にかかっていた電圧は、ハイレベルに戻るため、ステップ６ａ及びステップ６ｂはＹｅｓとなり、外部コネクタ識別手段２３１は、外部出力ケーブルユニット５が挿入されていないことを検知する（ステップ６ａからステップ６ｃ）。外部コネクタ識別手段２３１は、外部出力用コネクタ３８に外部出力ケーブルユニット５が挿入されていないことを出力制御手段２３２に通知し、出力制御手段２３２は、出力制御を停止する（ステップ６ｋ）。
【００３８】
以上に説明したとおり本実施の形態によれば、イヤホン出力ケーブルユニット６とテレビ出力ケーブルユニット７を識別して、それに応じた出力制御が行えるので、テレビ用コネクタを別途設けることなく、テレビ出力を可能とすることができる。
【００３９】
ここで、実施の形態において、携帯電話端末を例に挙げて説明したが、これに限定されるものではなく、例えば、ＰＤＡ等の携帯端末にも適用できる。
【００４０】
また、実施の形態において、外部機器としてテレビを例に挙げて説明したが、これに限定されるものではなく、画像表示手段を有するあらゆる電子機器、例えばパソコンに使用するディスプレイ等にも適用できる。
【００４１】
また、実施の形態において、ＲＡＭ２２に保存された画像情報を外部機器の表示部に表示する方法を例に挙げて説明したが、これに限定されるものではなく、カメラ３１のファインディング中の画像を外部機器の表示部３３に表示する場合にも適用できる。
【００４２】
尚、外部コネクタ検出回路２４に必要な、検出用抵抗２４３、検出用抵抗２４４及びこれらの電源電圧は、各携帯端末のシステムやマイクロプロセッサ２３に合わせて設定するものである。また、イヤホン出力ケーブルユニット６及びテレビ出力ケーブルユニット７の検出用抵抗６６１及び検出用抵抗７６１も各携帯端末のシステムやマイクロプロセッサ２３に合わせて設定するものである。
【００４３】
また、本実施形態は本発明の１実施例に過ぎない。本実施例の場合、検出用ラインを２本持つことによって、組み合わせ論理が４種類発生していた（具体的に書くと（検出用ライン２４１、検出ライン２４２）：（ハイレベル、ハイレベル）、（ハイレベル、ローレベル）、（ローレベル、ハイレベル）、（ローレベル、ローレベル）である）。その４種類を、イヤホン出力ケーブルユニット６、テレビ出力ケーブルユニット７、その他コネクタ（ステップ６ａからステップ６ｊ）、何も挿入されていない状態と割り振っていたが、検出用ラインを増やすことでこの組合わせを増加させることができるのは言うまでも無い。例えば、３本にすれば８通り、４本にすれば１６通りの外部出力ケーブルユニットに対応することができる。
【００４４】
また、本実施例では、外部出力用コネクタ３８の端子数が６端子であったが、これに限定されるものではない。例えば、端子数を増加させ、その端子を利用して、ステレオイヤホンマイク出力ケーブルユニットやモノラルイヤホンマイク出力ケーブルユニット等の携帯端末へ音声等の情報を入力することのできる外部出力ケーブルユニットにも対応することができる。
【図面の簡単な説明】
【００４５】
【図１】本発明を適用したカメラを備えた携帯電話端末の構成を示す外観図であり、（ａ）には、携帯電話端末の斜視外観を示す。（ｂ）には、携帯電話端末の背面部の外観を示す。
【図２】本発明を適用した携帯電話端末の内部構成を示すブロック図である。
【図３】本発明を適用した外部コネクタ検出回路及び外部出力用コネクタの構成を示すブロック図である。
【図４】本発明を適用したイヤホン出力ケーブルユニットの構成を示すブロック図である。
【図５】本発明を適用したテレビ出力ケーブルユニットの構成図を示すブロック図である。
【図６】本発明の実施の形態の動作を示すフローチャートである。
【符号の説明】
【００４６】
１  無線部、１１  アンテナ、１２  デュプレクサ、１３  送信部、１４  受信部、１５  シンセサイザ、２  制御部、２１  ＲＯＭ、２２  ＲＡＭ、２３  マイクロプロセッサ、２３１  外部コネクタ識別手段、２３２  出力制御手段、２４  外部コネクタ検出回路、２４１  検出用ライン、２４２  検出用ライン、２４３  検出用抵抗、２４４  検出用抵抗、３  入出力部、３１  カメラ、３２  表示駆動部、３３  表示部、３４  マイク、３５  レシーバ、３６  キー入力部、３７  スピーカ、３８  外部出力用コネクタ、３８１  映像出力端子、３８２  音声出力端子、３８３  音声出力端子、３８４  検出用端子、３８５  検出用端子、３８６  ＧＮＤ端子、４  電源部、４１  電源、４２  充電回路、４３  電池、５  外部出力ケーブルユニット、６  イヤホン出力ケーブルユニット、６１  携帯端末接続部６１、６２  音声出力ケーブル、６２１  携帯端末側音声端子、６２２  イヤホン、６３  音声出力ケーブル、６３１  携帯端末側音声端子、６３２  イヤホン、６４１  検出用電源端子、６５１  ＧＮＤ端子、６６１  検出用抵抗、７  テレビ出力ケーブルユニット、７１  映像出力ケーブル、７１１  携帯端末側映像端子、７１２  テレビ側映像端子、７２  音声出力ケーブル、７２１  携帯端末側音声端子、７２２  テレビ側音声端子、７３  音声出力ケーブル、７３１  携帯端末側音声端子、７３２  テレビ側音声端子、７４１  検出用電源端子、７５１  ＧＮＤ端子、７６１  検出用抵抗
【図１】
2005130176.tif 000003
【図２】
2005130176.tif 000004
【図３】
2005130176.tif 000005
【図４】
2005130176.tif 000006
【図５】
2005130176.tif 000007
【図６】
2005130176.tif 000008